(57)【要約】【課題】従来に無い新たな利便性を有するデジタルサイネージを実現する。【解決手段】ポスターなどに代えて用いられ、広告媒体として注目が得易く、また柱などに効率良く設置できる縦長の液晶パネル３を有するデジタルサイネージにおいて、その縦長の液晶パネル３を縦方向に上中下段を含む少なくとも３つの横長の表示領域３３，３４，３５に分割し、下段の表示領域３５には広告の静止画などの静的な画像を表示させ、少なくとも中段の表示領域３４にはタッチセンサ操作に応答する動的な画像を表示させる。上段の表示領域３３は、動画を表示し、注目を惹くようにする。したがって、ガイダンス画面のように単純な全画面の更新を行う従来技術や、大画面のテレビジョン受像機のような横長画面で単純な動画を流すだけの他の従来技術とは異なる、新たな利便性を有するデジタルサイネージを実現することができる。【選択図】図４
2016090643.tif 000002
【特許請求の範囲】
【請求項１】
横長の表示領域が縦方向に上中下段を含む少なくとも３段に配列されて成る縦長の表示手段と、
前記表示手段の少なくとも中段の表示領域の前面に設けられるタッチセンサと、
前記表示手段を表示駆動する駆動手段とを備え、
前記駆動手段は、少なくとも下段の表示領域に静的な画像を表示させ、少なくとも中段の表示領域には、前記タッチセンサ操作に応答する動的な画像を表示させることを特徴とするデジタルサイネージ。
【請求項２】
前記駆動手段は、前記上段または下段の表示領域の少なくとも一方に、前記中段の表示領域に対するタッチセンサ操作に応答して、該中段の表示領域の表示内容に関連した内容の画像を表示させることを特徴とする請求項１記載のデジタルサイネージ。
【請求項３】
前記駆動手段は、前記上段の表示領域に動画を表示させることを特徴とする請求項１または２記載のデジタルサイネージ。
【請求項４】
前記表示手段にはアスペクト比が１６：９のＨＤＴＶパネルが縦長に使用され、前記上中下段の表示領域はアスペクト比が略５：９の横長の表示領域であり、上段の表示領域と中段の表示領域との間にはアスペクト比が略１：９のタイトル表示領域が設けられ、該タイトル表示領域には、前記上段の表示領域の動画のタイトルが表示されることを特徴とする請求項３記載のデジタルサイネージ。
【請求項５】
前記中段の表示領域には前記タッチセンサ操作のための複数のアイコンが形成され、前記駆動手段は、前記アイコンを、所定時間毎に循環して移動するように表示することを特徴とする請求項１〜４の何れか１項に記載のデジタルサイネージ。
【請求項６】
前記中段の表示領域には前記タッチセンサ操作のための複数のアイコンが形成され、前記駆動手段は、前記アイコンを、厚みを持たせた３次元表示することを特徴とする請求項１〜５の何れか１項に記載のデジタルサイネージ。
【請求項７】
前記中段の表示領域には前記タッチセンサ操作のための複数のアイコンが形成され、前記駆動手段は、前記アイコンを、ゆらぎを持たせて表示することを特徴とする請求項１〜６の何れか１項に記載のデジタルサイネージ。
【請求項８】
前記表示手段は下段の表示領域の前面にもタッチセンサを有し、
利用者を撮影するカメラと、
前記カメラによって撮影された利用者の身長を割出し、その身長が予め定める値以下であるか否かを判定する判定手段とを備え、
前記判定手段の判定結果に応答し、前記駆動手段は、前記身長が予め定める値以下である場合には、前記中段の表示領域における前記タッチセンサ操作を行うべき動的な画像を下段の表示領域に表示させ、下段の表示領域の画像を上段の表示領域へ、上段の表示領域の画像を中段の表示領域へ、それぞれ循環して表示領域を変更することを特徴とする請求項１〜７の何れか１項に記載のデジタルサイネージ。
【請求項９】
前記駆動手段は、前記中段の表示領域に、利用者の更なる情報の検索のための、もしくは利用者の視聴に対する特典を提示するためのアドレスの２次元バーコードを表示させることを特徴とする請求項１〜８の何れか１項に記載のデジタルサイネージ。
【請求項１０】
前記駆動手段は、前記上段の動画を、広告を１５秒、利用者への告知を９０秒、さらに広告を１５秒のコンテンツと、利用者の興味を惹くための９０秒のコンテンツ２つとを１セットとして、３セットの１５分周期で表示させることを特徴とする請求項３記載のデジタルサイネージ。
【請求項１１】
前記駆動手段は、前記下段の静的な画像として、広告の静止画を１０秒更新で、２４画面、周期的に表示させることを特徴とする請求項１０記載のデジタルサイネージ。
【請求項１２】
教育機関における生徒の集会所に設置されることを特徴とする請求項１〜１１の何れか１項に記載のデジタルサイネージ。
【請求項１３】
前記駆動手段はネットワークを介してサーバーに接続されており、表示手段で表示すべき画像データは、前記サーバーから配信されることを特徴とする請求項１〜１２の何れか１項に記載のデジタルサイネージ。
【発明の詳細な説明】
【技術分野】
【０００１】
本発明は、デジタルサイネージ（ Digital Signage＝電子看板）に関する。
【背景技術】
【０００２】
デジタルサイネージは、表示と通信にデジタル技術を活用して平面ディスプレイやプロジェクタなどによって映像や情報を表示する広告媒体である。デジタルサイネージは、ポスターやロールスクリーン看板等の印刷物のような取替えの手間が掛からずメンテナンスが容易であり、また動画が表示できるために利用者の注目を惹くことができ、さらに１台の表示機でも複数の広告主に対して広告表示枠を切り売りできる等の特長がある。
【０００３】
そのデジタルサイネージは、大きいものでは、大画面のテレビジョン受像機のような横長画面で単純な動画を流すだけのものがあり、小さなものでは、駅や空港での案内板として利用され、検索によってよるガイダンス画面を表示するものがある。後者のもので、特許文献１は、利用者に操作されていない間、ディスプレイの表示領域の全領域に広告用コンテンツを広い視野角で表示し、利用者に操作されると、検索用コンテンツを狭い視野角で一部分に表示し、残余の部分で広告用コンテンツを広い視野角で表示することが示されている。
【先行技術文献】
【特許文献】
【０００４】
【特許文献１】特開２０１４−１０２３７号公報
【発明の概要】
【発明が解決しようとする課題】
【０００５】
上記の特許文献１では、広告用コンテンツと検索用コンテンツとは特に関連が無い。一方、利用者の操作が行われるデジタルサイネージには、コンテンツおよびその表示方法によっては、新たな利便性を有するデジタルサイネージを実現することができる。
【０００６】
本発明の目的は、新たな利便性を有するデジタルサイネージを提供することである。
【課題を解決するための手段】
【０００７】
本発明のデジタルサイネージは、横長の表示領域が縦方向に上中下段を含む少なくとも３段に配列されて成る縦長の表示手段と、前記表示手段の少なくとも中段の表示領域の前面に設けられるタッチセンサと、前記表示手段を表示駆動する駆動手段とを備え、前記駆動手段は、少なくとも下段の表示領域に静的な画像を表示させ、少なくとも中段の表示領域には、前記タッチセンサ操作に応答する動的な画像を表示させることを特徴とする。
【０００８】
上記の構成によれば、ポスターなどに代えて用いられ、広告媒体として注目が得易く、また柱などに効率良く設置できる縦長の表示手段を有するデジタルサイネージにおいて、その縦長の表示手段を、１枚の表示パネルを縦方向に上中下段を含む少なくとも３つの横長の表示領域に分割して構成し、或いは横長の表示パネルを少なくとも３つ上中下段に並べて、前記縦長の表示手段に少なくとも３つの表示領域を形成する。そして、その表示手段の少なくとも中段の表示領域の前面にはタッチセンサを有し、表示手段を表示駆動する駆動手段は、少なくとも下段の表示領域には、広告の静止画などの静的な画像を表示させ、少なくとも中段の表示領域には、前記タッチセンサ操作に応答する動的な画像を表示させる。
【０００９】
したがって、ガイダンス画面のように単純な全画面の更新を行う従来技術のデジタルサイネージや、大画面のテレビジョン受像機のような横長画面で単純な動画を流すだけの他の従来技術のデジタルサイネージなどと異なり、先ず縦長の表示手段で注目を惹き、次に上段や下段の横長の表示領域で広告などを見易く表示し、また中段の表示領域では、動的な選択・更新画面で、利用者の所望する有用な詳細な情報を表示することができる。これによって、従来に無い新たな利便性を有するデジタルサイネージを実現することができる。
【００１０】
また、本発明のデジタルサイネージでは、前記駆動手段は、前記上段または下段の表示領域の少なくとも一方に、前記中段の表示領域に対するタッチセンサ操作に応答して、該中段の表示領域の表示内容に関連した内容の画像を表示させることを特徴とする。
【００１１】
上記の構成によれば、上段や下段の表示領域に単純に広告画面を表示するよりも、中段の表示領域の表示内容に、その上段や下段の表示領域の表示内容を関連付ける、たとえば中段のアイコン表示が選択されると、上段や下段に詳細を拡大表示する。
【００１２】
したがって、前記上段や下段の表示領域には、予め定められたスケジュールで広告などを流すだけでなく、利用者が興味のある広告などを選択して流すことができる。
【００１３】
さらにまた、本発明のデジタルサイネージでは、前記駆動手段は、前記上段の表示領域に動画を表示させることを特徴とする。
【００１４】
上記の構成によれば、縦長の表示手段で最も注目し易い上段の表示領域に動画を表示することで、デジタルサイネージの注目度（集客効果）を、より高めることができる。
【００１５】
また、本発明のデジタルサイネージでは、前記表示手段にはアスペクト比が１６：９のＨＤＴＶパネルが縦長に使用され、前記上中下段の表示領域はアスペクト比が略５：９の横長の表示領域であり、上段の表示領域と中段の表示領域との間にはアスペクト比が略１：９のタイトル表示領域が設けられ、該タイトル表示領域には、前記上段の表示領域の動画のタイトルが表示されることを特徴とする。
【００１６】
上記の構成によれば、アスペクト比が１６：９のＨＤＴＶ画面において、アスペクト比が略１：９のタイトル表示領域を設けることで、上中下段の表示領域を、アスペクト比が略５：９の横長の表示領域に略均等に分割することができる。
【００１７】
したがって、画面のバランスが良くなるとともに、動画のタイトル（内容）を、途中から視聴した（覗き込んだ）利用者でも、容易に認識することができる。
【００１８】
さらにまた、本発明のデジタルサイネージでは、前記中段の表示領域には前記タッチセンサ操作のための複数のアイコンが形成され、前記駆動手段は、前記アイコンを、所定時間毎に循環して移動するように表示することを特徴とする。
【００１９】
上記の構成によれば、所定時間毎にタッチセンサ画面が変るので、注目を惹き易く、アイコン操作による次の画面への誘導の機会を増加することができる。
【００２０】
また、本発明のデジタルサイネージでは、前記中段の表示領域には前記タッチセンサ操作のための複数のアイコンが形成され、前記駆動手段は、前記アイコンを、厚みを持たせた３次元表示することを特徴とする。
【００２１】
上記の構成によれば、アイコンは浮き上がって見えることになり、注目を惹き易く、アイコン操作による次の画面への誘導の機会を増加することができる。
【００２２】
さらにまた、本発明のデジタルサイネージでは、前記中段の表示領域には前記タッチセンサ操作のための複数のアイコンが形成され、前記駆動手段は、前記アイコンを、ゆらぎを持たせて表示することを特徴とする。
【００２３】
上記の構成によれば、アイコンは振動して見えることになり、注目を惹き易く、アイコン操作による次の画面への誘導の機会を増加することができる。
【００２４】
また、本発明のデジタルサイネージでは、前記表示手段は下段の表示領域の前面にもタッチセンサを有し、利用者を撮影するカメラと、前記カメラによって撮影された利用者の身長を割出し、その身長が予め定める値以下であるか否かを判定する判定手段とを備え、前記判定手段の判定結果に応答し、前記駆動手段は、前記身長が予め定める値以下である場合には、前記中段の表示領域における前記タッチセンサ操作を行うべき動的な画像を下段の表示領域に表示させ、下段の表示領域の画像を上段の表示領域へ、上段の表示領域の画像を中段の表示領域へ、それぞれ循環して表示領域を変更することを特徴とする。
【００２５】
上記の構成によれば、利用者の身長が低い場合や、車椅子の利用がある場合には、タッチセンサ画面を下段に移すので、そのような利用者の利便性を向上することができる。なお、身長の判定には、カメラなどの撮像素子ではなく、所定の高さの位置で光を出射して、反射光が検出されるか否かから判定を行う受発光素子などが用いられてもよいが、カメラには、Ｗｅｂカメラなどの安価な構成を用いることができるとともに、複数の身長の閾値を設けて画像を切換えるなど、更なる機能の発展の余地があり、好適である。
【００２６】
さらにまた、本発明のデジタルサイネージでは、前記駆動手段は、前記中段の表示領域に、利用者の更なる情報の検索のための、もしくは利用者の視聴に対する特典を提示するためのアドレスの２次元バーコードを表示させることを特徴とする。
【００２７】
上記の構成によれば、利用者が特典の入手などを目的として該デジタルサイネージを視聴する動機付けを行うことができ、該デジタルサイネージの設置に対する価値を向上し、また普及を促進することができる。
【００２８】
また、本発明のデジタルサイネージでは、前記駆動手段は、前記上段の動画を、広告を１５秒、利用者への告知（お知らせ）を９０秒、さらに広告を１５秒のコンテンツと、利用者の興味を惹くための９０秒のコンテンツ２つとを１セットとして、３セットの１５分周期で表示させることを特徴とする。
【００２９】
上記の構成によれば、利用者の飽きが来ず、また長時間足を止めてしまうようなことはなく、広告を適度に見せつつ、利用者の流れ（回転）も確保することができ、効果的な告知および広告を行うことができる。
【００３０】
さらにまた、本発明のデジタルサイネージでは、前記駆動手段は、前記下段の静的な画像として、広告の静止画を１０秒更新で、２４画面、周期的に表示させることを特徴とする。
【００３１】
上記の構成によれば、上段の動画の視聴に対して、利用者に煩わしくない広告を表示することができ、効果的な広告表示を行うことができる。
【００３２】
また、本発明のデジタルサイネージでは、教育機関における生徒の集会所に設置されることを特徴とする。
【００３３】
上記の構成によれば、教育機関における学生の集会所、たとえば食堂やカフェテリアには、単に広告だけのデジタルサイネージの設置にはそぐわないところ、上段の表示領域のコンテンツを工夫したり、中段の表示領域で利用者に有用な情報を提供することで、それらの箇所への該デジタルサイネージの設置の敷居が低くなり、利用者（学生）および広告主の両方に対して有益な新たなデジタルサイネージ（ビジネスモデル）を実現することができる。
【００３４】
さらにまた、本発明のデジタルサイネージでは、前記駆動手段はネットワークを介してサーバーに接続されており、表示手段で表示すべき画像データは、前記サーバーから配信されることを特徴とする。
【００３５】
上記の構成によれば、突発的な広告出稿や告知にも迅速に対応することができるとともに、コンテンツを容易に変更することもでき、きめ細かな番組（広告やコンテンツ）編成を行うことができる。
【発明の効果】
【００３６】
本発明のデジタルサイネージは、以上のように、縦長の表示手段を有するデジタルサイネージにおいて、その縦長の表示手段に少なくとも３つの横長の表示領域を形成し、その表示手段の少なくとも中段の表示領域の前面にはタッチセンサを設けておき、表示手段を表示駆動する駆動手段は、少なくとも下段の表示領域には、広告の静止画などの静的な画像を表示させ、少なくとも中段の表示領域には、前記タッチセンサ操作に応答する動的な画像を表示させる。
【００３７】
それゆえ、先ず縦長の表示手段で注目を惹き、次に上段や下段の横長の表示領域で広告などを見易く表示し、また中段の表示領域では、動的な選択・更新画面で、利用者の所望する有用な詳細な情報を表示することができる。これによって、従来に無い新たな利便性を有するデジタルサイネージを実現することができる。
【図面の簡単な説明】
【００３８】
【図１】本発明の実施の一形態に係るデジタルサイネージの正面図である。
【図２】前記のデジタルサイネージを使用する実際のシステム構成を概略的に示す図である。
【図３】前記のデジタルサイネージの電気的構成の一例を示すブロック図である。
【図４】本発明の実施の一形態に係るデジタルサイネージにおける初期（デフォルト）画面の一例を模式的に示す図である。
【図５】前記図４の画面から、中段の表示領域のアイコン操作によって切換わった画面の一例を模式的に示す図である。
【図６】前記図４の画面から、中段の表示領域のアイコン操作によって切換わった画面の他の例を模式的に示す図である。
【図７】前記図４の画面から、中段の表示領域のアイコン操作によって切換わった画面のさらに他の例を模式的に示す図である。
【図８】図４で示す初期（デフォルト）画面が、身長の低い利用者や車椅子利用の利用者に適応して変化した例を模式的に示す図である。
【図９】前記中段の表示領域を、詳細情報の表示に利用した場合の表示例を示す図である。
【図１０】上段の表示領域での動画の表示パターンを説明するための図である。
【図１１】本発明の他の実施形態の投稿頁の一例を示す図である。
【発明を実施するための形態】
【００３９】
図１は本発明の実施の一形態に係るデジタルサイネージ１の正面図である。このデジタルサイネージ１は、床面設置の支持部材２に、表示手段としての縦長の液晶パネル３が支持されて構成される。支持部材２は、床面と平行な平盤状の脚部２１と、その脚部２１の後端付近から立設される立ち上げ部２２とを備えて構成される。立ち上げ部２２の上方側に、液晶パネル３が取付けられている。
【００４０】
図２は、前記のデジタルサイネージ１を使用する実際のシステム構成を概略的に示す図である。デジタルサイネージ１は、１または複数台が、利用事業所４に設置され、インターネットなどの回線５を介してデータセンター６に接続される。データセンター６は、同様にインターネットなどの回線５を介して、広告代理店などの該デジタルサイネージ１を利用したサービスを提供するサービス提供会社７に接続される。
【００４１】
サービス提供会社７は、スチルカメラ７１やムービーカメラ７２などで取材した素材に、パーソナルコンピュータなどの情報処理端末７３で編集や加工などの処理を施すとともに、文書データを作成して、デジタルサイネージ１の表示コンテンツとして、データセンター６のサーバーコンピュータ６１にアップロードする。アップロードされたコンテンツは、適宜、各デジタルサイネージ１にダウンロードされ、後述するような表示が行われる。後述するようにして、タッチパネル操作などで得られた利用者のデータなどは、デジタルサイネージ１からサーバーコンピュータ６１に吸い上げられ、情報処理端末７３に与えられる。この利用者のデータや、利用事業所４に対する課金の管理などの情報処理は、サーバーコンピュータ６１または情報処理端末７３の何れか、或いは両者が協働して行う。
【００４２】
上述の説明では、デジタルサイネージ１は、回線５に接続されるネットワーク対応機で説明しており、該ネットワークを介して、サーバーコンピュータ６１から、リアルタイムの操作や情報配信が可能である。これによって、突発的な広告出稿や告知にも迅速に対応することができるとともに、コンテンツを容易に変更することもでき、きめ細かな番組（広告やコンテンツ）編成を行うことができるようになっている。しかしながら、デジタルサイネージ１は、回線５に接続されないスタンドアロン機であってもよく、その場合は、ＵＳＢメモリやＳＤメモリカード等の記憶媒体を介して、表示内容を更新可能である。こうして、最新情報を提供することで、利用者の興味を惹き、また設置場所に即したリアルタイムなキャンペーンなどの情報配信が可能となっている。
【００４３】
図３は、デジタルサイネージ１の電気的構成の一例を示すブロック図である。液晶パネル３の前面の全域には、タッチセンサ３１が設けられ、タッチパネル３２として構成される。そのタッチパネル３２と、スピーカ８およびＷｅｂカメラ９とが、該デジタルサイネージ１の筐体（立ち上げ部２）の外方へ向けて設置されている。
【００４４】
筐体（立ち上げ部２）の内部には、ＣＰＵなどで実現される情報処理装置１１と、ＲＯＭなどで実現される第１の記憶媒体１２と、ＲＡＭなどで実現される第２の記憶媒体１３と、ハードディスク装置やメモリカードなどで実現される補助記憶装置１４と、前記ネットワーク５を介して通信をおよび行う通信インタフェイス１５と、それらを接続するバスライン１６とを備えて構成される。液晶パネル３の表示駆動に係るこれらの部分が、駆動手段を構成する。表示手段としては、液晶パネル３に限らず、プラズマディスプレイや有機ＥＬディスプレイなどの他の表示手段が用いられてもよい。
【００４５】
補助記憶装置１４は、サーバーコンピュータ６１からダウンロードしたコンテンツを記憶する。第１の記憶媒体１２は、該デジタルサイネージ１の動作プログラムなどを予め記憶しており、第２の記憶媒体１３は、その動作プログラムの実行に必要な情報や、サーバーコンピュータ６１からダウンロードしたプログラムを適宜記憶する。情報処理装置１１は、第１の記憶媒体１２に記憶されたプログラムに基づき、第２の記憶媒体１３や補助記憶装置１４のデータを用いて液晶パネル３の表示データを作成したり、タッチセンサ３１の操作を読み取る。
【００４６】
図４は、本発明の実施の一形態のデジタルサイネージ１の表示例を模式的に示す正面図である。先ず、本発明のデジタルサイネージ１にける液晶パネル３は、ポスターなどに代えて用いられ、広告媒体として注目が得易く、また柱などに効率良く設置できるように、支持部材２とともに、縦長に形成される。液晶パネル３としては、たとえば４６インチで、アスペクト比が１６：９のＨＤＴＶ用パネルである。
【００４７】
注目すべきは、情報処理装置１１によって、その縦長の１枚の液晶パネル３が、縦方向に上中下段を含む少なくとも３つの横長の表示領域３３，３４，３５に分割して利用されることである。本件発明者の経験によれば、縦長のパネルは、上述のように注目（宣伝効果）を惹き易いが、表示内容の確認は、横長のパネルが、利用者にとって容易である。本発明は、本件発明者によるこのような知見に基づく。なお、横長の表示領域３３，３４，３５は、それぞれの横長の液晶パネルで構成されてもよく、前記情報処理装置１１での画像データの作成処理等の要望に合わせて、１枚のパネルを分割使用するか、複数のパネルを組合わせて使用するかが、選択されればよい。
【００４８】
本実施形態では、初期（デフォルト）画面では、情報処理装置１１は、上段の表示領域３３と中段の表示領域３４との間には、タイトル表示領域３６を設けている。図４の例では、液晶パネル３のアスペクト比が１６：９のＨＤＴＶ画面において、タイトル表示領域３６は、アスペクト比が略１：９であり、これによって、上中下段の表示領域３３，３４，３５は、アスペクト比が略５：９の横長の表示領域に略均等に分割され、画面のバランスが良く、また上述のように横長の表示領域で、見易くなっている。
【００４９】
そして、上段の表示領域３３には、たとえば前記ムービーカメラ７２などで撮影された動画コンテンツが表示され、タイトル表示領域には、その動画のタイトルが、たとえば前記情報処理端末７３で作成されて表示される。これによって、動画のタイトル（内容）を、途中から視聴した（覗き込んだ）利用者でも、容易に認識することができるようになっている。
【００５０】
さらに注目すべきは、初期（デフォルト）画面では、情報処理装置１１は、下段の表示領域３６に静的な画像を表示させ、中段の表示領域３５には、タッチセンサ３１の操作に応答する動的な画像を表示させることである。図４の例では、下段の表示領域３６における静的な画像としては、所定時間毎に更新される静止画の広告である。中段の表示領域３５における動的な画像としては、利用者による選択・更新操作が可能な画面で、図４の例では、アイコンＡ１〜Ａ１１（総称するときには参照符号Ａで示す）である。そして、アイコンＡ１〜Ａ１１のタッチ操作に応答して、情報処理装置１１は、該中段の表示領域３５の表示内容を切換えたり、更新したり、或いは他の段の表示領域３３，３５，３６に、連携した表示を行わせる。
【００５１】
したがって、典型的な従来技術のデジタルサイネージでは、大画面のテレビジョン受像機のような横長画面で単純な動画を流すだけであったり、ガイダンス画面のように単純な全画面の更新を行うだけであるのを、本実施の形態のデジタルサイネージ１では、先ず縦長の液晶パネル３表示手段で注目を惹き、次に上段や下段の横長の表示領域３３，３５で広告などを見易く表示し、また中段の表示領域３４では、動的な選択・更新画面で、利用者の所望する有用な詳細な情報を表示することができる。これによって、従来に無い新たな利便性を有するデジタルサイネージを実現するようになっている。なお、タッチセンサ３１は、本実施形態では、液晶パネル３の全面に設けられているが、少なくとも中段の表示領域３４の前面に設けられていればよい。
【００５２】
前記中段の表示領域３５自体の表示内容の切換えや更新としては、通常のアイコン操作と同様に、階層画面への深化やリンク先へのジャンプなどである。たとえば、図４におけるアイコンＡ１１を選択すると、図５で示すように、広告先の各企業のアイコンＢの表示に切換わる。図５の例では、初期（デフォルト）画面におけるタイトル表示領域３６が消失し、その分、中段の表示領域３４が、アイコンＢの数や大きさを拡大するために、表示領域３４ａとして拡大されている。
【００５３】
前記中段の表示領域３５の表示内容に連携した表示とは、アイコン操作に応じて、上段や下段の表示領域３３，３５における広告などを切換えることである。たとえば、図５における何れかのアイコンＢの選択では、中段の表示領域３５（タイトル表示領域３６を合わせても可）に、広告の詳細が拡大表示される。このようなアイコンＡ、Ｂに続く拡大表示画面からは、所謂スマートフォンにおけるスクロール操作などによって、頁捲りなどが行われてもよい。また、連携した表示としては、図４におけるアイコンＡ１〜Ａ１０の選択では、それらに対応した動画が、上段の表示領域３３に表示される。
【００５４】
こうして、情報処理装置１１は、上段や下段の表示領域３３，３５に、単純に予め定められたスケジュールで広告などを流すだけでなく、中段の表示領域３４に対するタッチセンサ操作に応答して、関連した内容の画像を表示させることで、利用者が興味のある広告などを選択して流すことができ、効果的である。また、情報処理装置１１は、縦長の液晶パネル３で最も注目し易い上段の表示領域３３に、動画を表示させることで、デジタルサイネージの注目度（集客効果）を、より高めることができる。
【００５５】
なお、必要に応じて、情報処理装置１１は、表示すべき動画に合わせた音声や、静止画広告に合わせた解説などを、スピーカ８から放出するようにしてもよい。その場合、たとえば初期（デフォルト）画面で、上段の表示領域３３の動画に合わせた音声を出力している際は、使用者に注目（足を止め）させるために、比較的大きな音量で音声出力し、使用者の選択に応じた静止画広告を表示する際は、利用者は該デジタルサイネージ１の近くに存在するので、比較的小さな音量で音声出力する等、状況に応じて適宜音量が制御されればよい。
【００５６】
好ましくは、図６で示すように、情報処理装置１１は、各アイコンＡ，Ｂ（図６の例はアイコンＢ）を、厚みを持たせた３次元表示させる。したがって、各アイコンＡ，Ｂは浮き上がって見えることになり、注目を惹き易く、アイコンＡ，Ｂの操作による次の画面への誘導の機会を増加することができる。
【００５７】
また好ましくは、図６で示すように、情報処理装置１１は、各アイコンＡ，Ｂ（図６の例はアイコンＢ）を、参照符号Ｃで示すように、所定時間、たとえば１０秒毎に循環して移動するように表示させる。これによって、所定時間毎にタッチセンサ画面が変るので、注目を惹き易く、アイコンＡ，Ｂの操作による次の画面への誘導の機会を増加することができる。その循環の際に、アイコンＡ，Ｂの大きさに、差を持たせるようにしてもよい。また、アイコンＡ，Ｂを始め、中段の表示領域３４，３４ａにおける動的な表示には、図６において参照符号３４ｄで示すような、戻る釦が設けられていることが好ましい。
【００５８】
さらに好ましくは、図７で示すように、情報処理装置１１は、各アイコンＡ，Ｂ（図７の例はアイコンＡ）を、参照符号Ｄで示すように、ゆらぎを持たせて表示させる。したがって、アイコンＡ，Ｂは振動して見えることになり、注目を惹き易く、アイコンＡ，Ｂの操作による次の画面への誘導の機会を増加することができる。
【００５９】
また、本実施形態のデジタルサイネージ１には、図３で示すように、Ｗｅｂカメラ９が設けられている。このＷｅｂカメラ９は、利用者を撮影し、情報処理装置１１は、その撮影された画像から、利用者の身長を割出し、その身長が予め定める値以下であるか否かを判定する判定手段としての機能も有する。そして、情報処理装置１１は、身長が予め定める値以下である場合には、図８で示すように、中段の表示領域３４におけるタッチセンサ操作を行うべき動的な画像を下段の表示領域３５に表示させ、下段の表示領域３５の画像を上段の表示領域３３へ、上段の表示領域３３の画像を中段の表示領域３４へ、それぞれ循環して表示領域を変更する。タイトル表示領域３６は、中段の表示領域３４と下段の表示領域３５との間に設けられる。これに対応して、タッチセンサ３１は、下段の表示領域３５の前面にも設けられている。
【００６０】
したがって、利用者１０の身長が低い場合や、図８で示すように車椅子１０１の利用がある場合には、タッチセンサ３１の画面を下段の表示領域３５に移すので、そのような利用者１０の利便性を向上することができる。なお、身長の判定には、カメラなどの撮像素子ではなく、所定の高さの位置で光を出射して、反射光が検出されるか否かから判定を行う受発光素子などが用いられてもよいが、Ｗｅｂカメラは、極めて安価であり、また複数の身長の閾値を設けて画像を切換えるなど、更なる機能の発展の余地があり、好適である。
【００６１】
さらにまた、情報処理装置１１は、図９において参照符号３５ｂで示すように、少なくとも中段の表示領域３４，３４ａ（図８のように動的な表示が下段の表示領域３５に移った場合は、その下段の表示領域３５）に、利用者の更なる情報の検索のための、もしくは利用者の視聴に対する特典を提示するためのアドレスの２次元バーコードを表示させる。図９の例では、利用者の更なる情報の検索のために、下段の表示領域３５における求人広告にタッチすることで、中段の表示領域３４ａに具体的な求人の募集要項が表示され、２次元バーコード３４ｂは、その募集要項のリンク先を示している。この２次元バーコード３４ｂを、所謂スマートフォンで撮影することで、中段の表示領域３４ａと同じ内容、または詳細な内容を、リンク先のホームページ等で確認する。こうして、スマートフォンに所望する情報を取込むことで、利用者が該デジタルサイネージ１から離れても、任意の時点で情報を再確認、或いはより詳細な情報を確認することができる。
【００６２】
利用者の視聴に対する特典としては、図１において参照符号３５ｃで示すように、液晶パネル３の任意の箇所に２次元バーコードを表示し、その２次元バーコード３５ｃを所謂スマートフォンで撮影することで、クーポンの取得や、セール画面への入場を許可することなどである。これによって、利用者が特典の入手を目的として該デジタルサイネージ１を視聴する動機付けを行うことができ、該デジタルサイネージの設置に対する価値を向上し、また普及を促進することができる。
【００６３】
ここで、本発明のデジタルサイネージ１の好適な実施形態について説明する。該デジタルサイネージ１の設置場所としては、好適な一例として、教育機関、特に大学における学生の集会所、たとえば食堂やカフェテリアが想定される。そのような場所では、単に広告を流すだけの従来のデジタルサイネージの設置にはそぐわない。しかしながら、該デジタルサイネージ１のように、液晶パネル３を上中下段の少なくとも３つの表示領域３３，３４，３５に分割し、上段の表示領域３３における動画コンテンツを工夫したり、中段の表示領域３４，３４ａで利用者に有用な情報を提供することで、そのような場所への該デジタルサイネージ１の設置の敷居が低くなり、利用者（学生）および広告主の両方に対して、極めて有益な新たなデジタルサイネージ（ビジネスモデル）を実現することができる。
【００６４】
前記学生の集会所での設置の場合、アイコンＡ１１の選択によるアイコンＢの広告は、企業の会社案内や、上述の図９で示すような求人情報が想定される。残余のアイコンＡ１〜Ａ１０で選択されるコンテンツとしては、旅行案内、ボランティア活動の報告や募集、クラブ活動の報告や募集、休講案内などの学校内のインフォメーション、同窓会の紹介や卒業生就職企業の案内などが想定される。図４の例では、上段の表示領域３３にはボランティア活動での動画を表示しており、タイトル表示領域３６には、活動地域が表示されている。同窓会の紹介や卒業生就職企業の案内は、学生が就職活動を行うに際して、卒業生の訪問などに利用することができる。
【００６５】
上段の表示領域３３での動画の表示パターンとしては、たとえば図１０で示すように、広告を１５秒、利用者への告知（お知らせ）を９０秒、さらに広告を１５秒のコンテンツと、利用者の興味を惹くための９０秒のコンテンツ２つとを１セットとして、３セットの１５分周期で表示させることが好ましい。図１０は、大学での例を示し、学生への告知としては、大学からのお知らせ、クラブ活動のお知らせ、同窓会のお知らせの３種類である。このような表示パターンを採用することで、利用者の飽きが来ず、また長時間足を止めてしまうようなことはなく、広告を適度に見せつつ、利用者の流れ（回転）も確保することができ、効果的な告知および広告を行うことができる。
【００６６】
また、下段の表示領域３５における静的な画像の表示パターンとしては、たとえば広告の静止画を前記の１０秒更新で、２４画面、周期的に表示させることが好ましい。このような表示パターンを採用することで、上段の表示領域３３における動画の視聴に対して、利用者に煩わしくない広告を表示することができ、効果的な広告表示を行うことができる。
【００６７】
上述の実施形態は、デジタルサイネージ１での表示コンテンツは、利用事業所４（上記の大学など）や広告主からの要望およびコンテンツの提供によって、サービス提供会社７で制作される。ここで、近年では、前記のスマートフォンの普及が目覚ましく、特に該デジタルサイネージ１の設置場所が学校の場合、学生への普及率の高さから、スマートフォンとの連携が好ましい。その一例が、上述の２次元バーコードの利用である。しかしながら、上述のケースはスマートフォンへの前記のクーポンなどのダウンロードである。
【００６８】
一方、スマートフォンにはカメラやメール機能も搭載されており、利用者が撮影した画像や文書も、デジタルサイネージ１での表示コンテンツとして利用可能である。そこで、本発明の他の実施形態としては、図４で示す初期（デフォルト）画面において、広告のアイコンＡ１１と同様に、投稿頁のアイコンを設けるなどして、その投稿頁に移ると、利用者の投稿画像や文書を閲覧可能となるようにしてもよい。
【００６９】
図１１には、その投稿頁の一例を示す。図４の初期（デフォルト）画面から投稿頁に移ると、中段の表示領域３４は、図１１（ａ）のようになり、同様に多数のアイコンＥが表示されるとともに、隅角部には、２次元バーコード３４ｂが表示される。利用者は、この２次元バーコードをスマートフォンで撮影すると、投稿の受付頁にアクセスでき、前記の写真や文書をアップロードすることができる。アップロードされた写真や文書は、多数のアイコンＥ中に表示され、タッチされたアイコンＥ１のコンテンツが、図１１（ｂ）で示すように、拡大して詳細が表示される。
【００７０】
投稿コンテンツとしては、利用者が学生の場合、クラブ活動やサークル活動の紹介、お気に入りのお店紹介、ペットの写真などが代表として考えられる。この場合のアイコンＥについては、そのようなコンテンツにふさわしい躍動感や色使いなどが適宜施されればよい。このようにして、デジタルサイネージ１において、下りの情報提供だけでなく、上りの情報収集を行うことで、該デジタルサイネージ１の商品価値（集客力）を高めることができる。
【符号の説明】
【００７１】
１    デジタルサイネージ
１１    情報処理装置
１２    第１の記憶媒体
１３    第２の記憶媒体
１４    補助記憶装置
１５    通信インタフェイス
３    液晶パネル
３１    タッチセンサ
３２    タッチパネル
３３    上段の表示領域
３４，３４ａ    中段の表示領域
３４ｂ，３５ｃ  ２次元バーコード
３５    下段の表示領域
３６    タイトル表示領域
４    利用事業所
５    回線
６    データセンター
６１    サーバーコンピュータ
７    サービス提供会社
７１    スチルカメラ
７２    ムービーカメラ
７３    情報処理端末
８    スピーカ
９    Ｗｅｂカメラ
Ａ，Ｂ，Ｅ    アイコン
【図１】
2016090643.tif 000003
【図２】
2016090643.tif 000004
【図３】
2016090643.tif 000005
【図４】
2016090643.tif 000006
【図５】
2016090643.tif 000007
【図６】
2016090643.tif 000008
【図７】
2016090643.tif 000009
【図８】
2016090643.tif 000010
【図９】
2016090643.tif 000011
【図１０】
2016090643.tif 000012
【図１１】
2016090643.tif 000013